(57)【要約】【課題】表裏照合検査に必要な情報や表裏照合検査の検査結果を一元管理できるシステムを提供する。【解決手段】管理装置２は，品目毎にロット情報を記憶している品目情報ＤＢ２１と，表裏照合検査の検査履歴情報を品目毎に記憶する検査履歴情報ＤＢ２２を有し，更に，検査装置３からロット情報の送信要求を受けると，バッチ情報を利用してロット情報を特定した後，特定したロット情報を検査装置３へ送信し，検査装置３から検査履歴情報を受信すると，検査履歴情報を検査履歴情報ＤＢ２２に記憶する一元管理手段２０を備える。検査装置３の検査手段３０は，コードリーダ３１を用いて，用紙４の表裏面それぞれから光学式認識コードにエンコードされた用紙固有情報を読み取り照合し，連続用紙５の状態で用紙４の表裏照合検査を実行すると，表裏照合検査の検査結果を記した検査履歴情報を管理装置２へ送信する。【選択図】図２
2015134426.tif 000002
【特許請求の範囲】
【請求項１】
用紙の表裏照合検査に係る情報を一元管理する管理装置と，ロット毎に製造される連続用紙の状態で用紙の表裏照合検査を行う複数の検査装置をネットワーク接続したシステムであって，
前記管理装置は，表裏照合検査を行う品目の品目コードに関連づけて，品目コードおよびロット番号を含むロット情報をロット毎に記憶している品目情報ＤＢと，ロット単位で行われた表裏照合検査の検査結果を記した検査履歴情報を品目コードに関連付けて記憶する検査履歴情報ＤＢを有し，前記検査装置から前記ロット情報の送信要求を受けると，表裏照合検査を行う品目の品目コードとそのロット番号が前記検査装置の識別番号に関連付して記されたバッチ情報を参照して，前記検査装置に表裏照合検査を行わせる品目コードとそのロット番号を特定した後，前記品目情報ＤＢを参照して，特定した品目コードとそのロット番号に対応する前記ロット情報を前記検査装置へ送信し， 前記検査装置から前記検査履歴情報を受信すると，前記検査履歴情報で示される品目コードに関連付けて前記検査履歴情報を前記検査履歴情報ＤＢに記憶する一元管理手段を備え，
前記検査装置は，前記管理装置へ前記ロット情報を送信要求し，前記管理装置から受信した前記ロット情報に対応する前記連続用紙に含まれる用紙毎に表裏照合検査を行った後，前記ロット情報に含まれる品目コードおよびロット番号を含む前記検査履歴情報を前記管理装置へ送信する検査手段を備え，
ていることを特徴とする表裏照合検査システム。
【請求項２】
用紙毎に固有の用紙固有情報をエンコードした光学式認識コードを用紙の表裏面に印刷しておき，前記検査装置の前記検査手段は，前記光学式認識コードを光学的に読み取るコードリーダを有し，表裏照合検査として，用紙の表面に印字された前記光学式認識コードにエンコードされた前記用紙固有情報と用紙の裏面に印字された前記光学式認識コードにエンコードされた前記用紙固有情報を照合することを特徴とする，請求項１に記載の表裏照合検査システム。
【請求項３】
前記光学式認識コードにエンコードする前記用紙固有情報に通数連番を含ませ，前記検査装置の前記検査手段は，表裏照合検査を行う際，前回の用紙の通数連番と今回の通数連番の序列を検査することを特徴とする，請求項２に記載の表裏照合検査システム。
【請求項４】
前記管理装置が記憶する前記ロット情報に，前記ロット情報のロット番号に対応する前記連続用紙において先頭になる用紙の通数連番を開始番号として含ませ，前記検査装置の前記検査手段は，表裏照合検査を行う用紙が前記連続用紙において先頭になる用紙の場合，前記連続用紙において先頭になる用紙から読み取った通数連番と前記ロット情報に含まれる開始番号を照合することを特徴とする，請求項３に記載の表裏照合検査システム。
【請求項５】
前記管理装置が記憶する前記ロット情報に，前記開始番号に加え，次のロットの前記連続用紙において先頭になる用紙の通数連番を次ロットの開始番号として含ませ，前記検査装置の前記検査手段は，表裏照合検査を行う用紙が前記連続用紙において最後になる用紙の場合，今回のロットで最後になる用紙から読み取った通数連番と前記次ロットの開始番号の序列を検査することを特徴とする，請求項４に記載の表裏照合検査システム。
【発明の詳細な説明】
【技術分野】
【０００１】
本発明は，用紙の表面に印刷された情報と用紙の裏面に印刷された情報の整合性を検査する表裏面照合検査に係る発明である。
【背景技術】
【０００２】
情報を隠蔽して郵送できる圧着はがきを，ＯｎｅｔｏＯｎｅマーケティングで用いるダイレクトメールに用いるケースが増えている。圧着はがきを製造する際，一枚の用紙が連なった連続用紙の状態で，ダイレクトメールの宛先などの個人情報を用紙に印刷するが，用紙の表面に印刷した個人情報と用紙の裏面に印刷した個人情報に整合性がないと，ある人の個人情報が他の人に郵送されてしまうため，連続用紙の状態で，用紙の表面に印刷した個人情報と用紙の裏面に印刷した個人情報の整合性を照合する表裏照合検査が必要になる。
【０００３】
用紙の表裏照合検査に係る発明として，用紙の表面に個人情報と共に第１マークを印刷し，用紙の裏面に個人情報と共に第２マークを印刷し，第１マークと第２マークを光学的に読み取り照合する発明が特許文献１にて開示されている。特許文献１では，第１マークと第２マークを簡素なマーク（矩形のマーク）とし，第１マークと第２マークを読み取る装置をカメラとしているが，特許文献２で記載されているように，マークをバーコードにし，マークを読み取る装置をバーコードリーダとすることが一般的である。
【先行技術文献】
【特許文献】
【０００４】
【特許文献１】特許第４２５９７７９号公報
【特許文献２】特許第５３３９０７４号公報
【発明の概要】
【発明が解決しようとする課題】
【０００５】
このように，用紙の表裏照合検査を行う手法は既に確立されている。しかし，用紙の表裏照合検査に必要な情報や用紙の表裏照合検査の検査結果は，用紙の表裏照合検査を行う装置毎に管理するように構成されるため，表裏照合検査の管理者からすると，これらの情報の管理作業負荷が重く，また，これらの情報が漏洩しないセキュリティ対策を装置毎に施さなければならなかった。
【０００６】
そこで，本発明は，用紙の表裏照合検査に必要な情報や用紙の表裏照合検査の検査結果を一元管理することのできるシステムを提供することを目的とする。
【課題を解決するための手段】
【０００７】
上述した課題を解決する第１の発明は，用紙の表裏照合検査に係る情報を一元管理する管理装置と，ロット毎に製造される連続用紙の状態で用紙の表裏照合検査を行う複数の検査装置をネットワーク接続したシステムである。
【０００８】
前記管理装置は，用紙の表裏照合検査に必要な情報や用紙の表裏照合検査の検査結果を一元管理できるように，表裏照合検査を行う品目の品目コードに関連づけて，品目コードおよびロット番号を含むロット情報をロット毎に記憶している品目情報ＤＢと，ロット単位で行われた表裏照合検査の検査結果を記した検査履歴情報を品目コードに関連付けて記憶する検査履歴情報ＤＢを有し，前記検査装置から前記ロット情報の送信要求を受けると，表裏照合検査を行う品目の品目コードとそのロット番号が前記検査装置の識別番号に関連付して記されたバッチ情報を参照して，前記検査装置に表裏照合検査を行わせる品目コードとそのロット番号を特定した後，前記品目情報ＤＢを参照して，特定した品目コードとそのロット番号に対応する前記ロット情報を前記検査装置へ送信し， 前記検査装置から前記検査履歴情報を受信すると，前記検査履歴情報で示される品目コードに関連付けて前記検査履歴情報を前記検査履歴情報ＤＢに記憶する一元管理手段を備える。
【０００９】
また，前記検査装置は，前記管理装置へ前記ロット情報を送信要求し，前記管理装置から受信した前記ロット情報に対応する前記連続用紙に含まれる用紙毎に表裏照合検査を行った後，前記ロット情報に含まれる品目コードおよびロット番号を含む前記検査履歴情報を前記管理装置へ送信する検査手段を備える。
【００１０】
上記の第１の発明によれば，表裏照合検査を行う品目に係る情報と，前記検査装置側で実行した表裏照合検査の結果を示す検査履歴情報は前記管理装置によって一元管理されることになる。表裏照合検査を行う品目に係る情報と，前記検査装置側で実行した表裏照合検査の結果を示す検査履歴情報を前記管理装置できれば，表裏照合検査の管理者の管理作業負荷を軽くでき，また，これらの情報が漏洩しないセキュリティ対策を施す装置を前記管理装置に限定することができる。
【００１１】
更に，第２の発明は，第１の発明に記載の表裏照合検査システムにおいて，用紙毎に固有の用紙固有情報をエンコードした光学式認識コードを用紙の表裏面に印刷しておき，前記検査装置の前記検査手段は，前記光学式認識コードを光学的に読み取るコードリーダを有し，表裏照合検査として，用紙の表面に印字された前記光学式認識コードにエンコードされた前記用紙固有情報と用紙の裏面に印字された前記光学式認識コードにエンコードされた前記用紙固有情報を照合することを特徴とする。上記の第２の発明は，前記検査装置側で実行する表裏照合検査の内容を具体化した発明である。
【００１２】
更に，第３の発明は，第２の発明に記載の表裏照合検査システムにおいて，前記光学式認識コードにエンコードする前記用紙固有情報に通数連番を含ませ，前記検査装置の前記検査手段は，表裏照合検査を行う際，前回の用紙の通数連番と今回の通数連番の序列を検査することを特徴とする。上記の第３の発明によれば，前記検査装置側で実行する表裏照合検査の内容を具体化した発明である。前記光学式認識コードにエンコードする前記用紙固有情報に通数連番を含ませることで，表裏照合検査を行う品目に係る情報をシンプルにすることができ，また，用紙の序列についても検査できるようになる。
【００１３】
更に，第４の発明は，第３の発明に記載の表裏照合検査システムにおいて，前記管理装置が記憶する前記ロット情報に，前記ロット情報のロット番号に対応する前記連続用紙において先頭になる用紙の通数連番を開始番号として含ませ，前記検査装置の前記検査手段は，表裏照合検査を行う用紙が前記連続用紙において先頭になる用紙の場合，前記連続用紙において先頭になる用紙から読み取った通数連番と前記ロット情報に含まれる開始番号を照合することを特徴とする。上記の第４の発明によれば，前記連続用紙において先頭になる用紙の正当性を検証できる。
【００１４】
更に，第５の発明は，第４の発明に記載の表裏照合検査システムにおいて，前記管理装置が記憶する前記ロット情報に，前記開始番号に加え，次のロットの前記連続用紙において先頭になる用紙の通数連番を次ロットの開始番号として含ませ，前記検査装置の前記検査手段は，表裏照合検査を行う用紙が前記連続用紙において最後になる用紙の場合，今回のロットで最後になる用紙から読み取った通数連番と前記次ロットの開始番号の序列を検査することを特徴とする。上記の第５の発明によれば，今回のロットと次回のロットの序列を検証できる。
【発明の効果】
【００１５】
このように，本発明によれば，用紙の表裏照合検査に必要な情報や用紙の表裏照合検査の検査結果を一元管理することのできるシステムを提供できる。
【図面の簡単な説明】
【００１６】
【図１】本実施形態に係る表裏照合検査システムの構成を説明する図。
【図２】本実施形態に係る表裏照合検査システムのブロック図。
【図３】本実施形態に係る用紙を説明する図。
【図４】本実施形態に係る連続用紙を説明する図。
【図５】本実施形態に係る表裏照合検査システムの動作を説明する図。
【発明を実施するための形態】
【００１７】
ここから，本発明の好適な実施形態を記載する。なお，以下の記載は本発明の範囲を束縛するものでなく，理解を助けるために記述するものである。
【００１８】
図１は，本実施形態に係る表裏照合検査システム１の構成を説明する図，図２は，本実施形態に係る表裏照合検査システム１のブロック図，図３は，本実施形態に係る用紙４を説明する図，図４は，本実施形態に係る連続用紙５を説明する図，図５は，本実施形態に係る表裏照合検査システム１の動作を説明する図である。
【００１９】
本実施形態に係る表裏照合検査システム１は，用紙４の表面に印刷された第１の光学式認識コード４０にエンコードされたと用紙識別情報と，用紙４の裏面に印刷された第２の光学式認識コード４１にエンコードされた用紙識別情報を照合する表裏照合検査を行うためのシステムで，図１に図示しているように，本実施形態に係る表裏照合検査システム１は，表裏照合検査に係る情報を一元管理する管理装置２と，連続用紙５の状態で用紙４の表裏照合検査を行う複数台の検査装置３とから少なくとも構成される。
【００２０】
まず，図３を参照しながら，表裏照合検査の対象となる用紙４について説明する。図３（ａ）は，用紙４の表面に印刷する情報を説明する図，図３（ｂ）は，用紙４の裏面に印刷する情報を説明する図である。
【００２１】
図３に図示しているように，本実施形態における用紙４は，圧着はがきに加工される用紙４としている。図３（ａ）に図示しているように，用紙４の表面の右側は，圧着はがきの表になる面で，この面には，料金別納を表示する絵柄４ａ，宛先情報４ｂ（郵便番号，住所および氏名），差出人情報４ｃ（郵便番号，住所および会社名等）を印刷している。また，用紙４の表面の左側は，圧着はがきの裏になる面で，この面には，圧着はがきの中面に印刷した情報を隠蔽するための絵柄４ｄ（例えば，紺色のベタ塗り）に加え，表裏照合検査に用いる第１の光学式認識コード４０を印刷している。また，図３（ｂ）に図示しているように，用紙４の裏面は，圧着はがきの中面になる面で，用紙４の裏面には，圧着はがきの宛先となる個人の個人情報４ｅに加え，表裏照合検査に用いる第２の光学式認識コード４１を印刷している。
【００２２】
本実施形態において，光学式認識コードとは，様々な情報をエンコードでき，光学的に読み取り可能な図柄や文字を意味する。光学式認識コードの好適な形態は，１次元または２次元のバーコードであるが，光学式認識コードの形態を，ＯＣＲ用の文字や記号にすることもできる。なお，光学式認識コードにエンコード可能な文字数は，光学式認識コードの形態に依存する。光学式認識コードの形態が１次元のバーコードの場合，光学式認識コードにエンコード可能な文字数は数十文字で，２次元のバーコードの場合は数百文字をエンコード可能である。
【００２３】
用紙４の表面に印刷する第１の光学式認識コード４０および用紙４の裏面に印刷する第２の光学式認識コード４１それぞれには，一つの品目において，用紙４毎に固有な用紙固有情報がエンコードされ，本実施形態において，用紙固有情報は，用紙４に割り振られた通数連番を含む。
【００２４】
次に，本実施形態における連続用紙５について説明する。図４（ａ）は，本実施形態における連続用紙５を説明する図，図４（ｂ）は，折りたたんだ状態の連続用紙５を説明する図である。
【００２５】
図４（ａ）に図示しているように，本実施形態の連続用紙５では，図３を用いて説明した用紙４が横ミシン５ａを介して連なり，更に，連続用紙５の両側には，縦ミシン５ｂを介して紙送り用の送り孔５ｃが設けられている。連続用紙５から圧着はがきを製造する際，連続用紙５に加工された横ミシン５ａおよび縦ミシン５ｂを切断することによって連続用紙５を用紙４の単位に切断し，連続用紙５を切断して得られた用紙４を利用して圧着はがきが製造される。
【００２６】
また，用紙４を利用して圧着はがきを製造する品目は複数のロットに細分化され，ロットに含まれる用紙４が連なった連続用紙５がロット毎に製造される。なお，図４（ｂ）に図示しているように，連続用紙５では，ロットに含まれるすべての用紙４が交互に折りたたまれている。
【００２７】
ここから，表裏照合検査システム１を構成する検査装置３について説明する。表裏照合検査システム１を構成する検査装置３は，汎用のパーソナルコンピュータを利用して実現される装置である。図２に図示したように，検査装置３は，コンピュータプログラムによって実現される機能として，表裏照合検査を行うときに作動する検査手段３０を備え，更に，表裏照合検査の対象となる用紙４に印刷された第１の光学式認識コード４０および第２の光学式認識コード４１を光学的に読み取るコードリーダ３１が接続されている。なお，図１では，表裏照合検査を手動で行うように図示しているが，特許文献１のように，連続用紙５を自動で紙送りする機構を設け，表裏照合検査を自動で行うように構成することもできる。
【００２８】
検査装置３の検査手段３０は，一枚の用紙４に係る表裏照合検査を行う際，コードリーダ３１が光学的に読み取った第１の光学式認識コード４０にエンコードされた用紙固有情報と，コードリーダ３１が光学的に読み取った第２の光学式認識コード４１にエンコードされた用紙固有情報を照合し，例えば，２つの用紙固有情報が一致すれば表裏照合検査に成功したと判定する。
【００２９】
また，本実施形態では，用紙固有情報に通数連番を含ませているため，一枚の用紙４に係る表裏照合検査を行う際，検査装置３の検査手段３０は，前回の用紙４の通数連番と今回の通数連番の序列についても検査する。なお，前回の用紙４の通数連番と今回の通数連番の序列を検査する際，連続用紙５の先頭になる用紙４については，前回の用紙４の通数連番がないため，管理装置２から検査装置３に対して，連続用紙５の先頭になる用紙４の通数連番を開始番号として通知すれば，連続用紙５の先頭になる用紙４の通数連番を検査装置３側で照合できるようになる。更に，管理装置２から検査装置３に対して，連続用紙５の先頭になる用紙４の通数連番に加え，次のロットで先頭になる用紙４の通数連番を次ロットの開始番号として通知すれば，今回のロットと次のロットの序列を検査できるようになる。
【００３０】
次に，表裏照合検査システム１を構成する管理装置２について説明する。管理装置２は，汎用的なサーバを利用して実現される装置である。図２に図示したように，管理装置２は，コンピュータプログラムによって実現される機能として，表裏照合検査に係る情報を一元管理する一元管理手段２０を備え，更に，表裏照合検査に係る情報を一元管理するためのデータベース（DB: DataBase）として，表裏照合検査を行う品目の品目コードに関連づけて，品目コードおよびロット番号を含むロット情報をロット毎に記憶している品目情報ＤＢ２１と，ロット単位で行われた表裏照合検査の検査結果を記した検査履歴情報を品目コードに関連付けて記憶する検査履歴情報ＤＢ２２を備える。更に，管理装置２は，表裏照合検査を行う品目の品目コードとそのロット番号が検査装置３毎に記されたバッチ情報を記憶している。
【００３１】
品目情報ＤＢ２１に記憶する品目情報は圧着はがきを製造する品目に係る連続用紙５の製造がすべて完了した時点で品目情報ＤＢ２１に登録される情報である。本実施形態において，この品目情報が含むロット情報は，ロットに対応する品目の品目コード，ロットを識別するためのロット番号に加え，表裏照合検査に用いる情報として，ロットに対応する連続用紙５の先頭になる用紙４の通数連番である開始番号，この連続用紙５の用紙枚数，次のロットで連続用紙５の先頭になる用紙４の通数連番である次ロットの開始番号を含む。
【００３２】
検査履歴情報ＤＢ２２は，検査装置３が送信した検査履歴情報を記憶するＤＢである。この検査履歴情報ＤＢ２２において，品目の品目コードに関連づけて，連続用紙５の状態で用紙４の表裏照合検査時の結果を示す検査履歴情報が記憶される。
【００３３】
表裏照合検査のバッチ情報は，外部のシステム（例えば，生産管理システム）から管理装置２に登録される情報である。表裏照合検査のバッチ情報には，検査装置３の識別番号に関連づけて，表裏照合検査を行う品目の品目コードとそのロットのロット番号の対が表裏照合検査を行う順に記憶される。
【００３４】
管理装置２の一元管理手段２０は，検査装置３からロット情報の送信要求を受けると，バッチ情報を参照して，この検査装置３の識別番号に関連付けられている品目コードとロット番号の対の中から，次に表裏照合検査を行う品目コードとロット番号の対を選択した後，品目情報ＤＢ２１を参照し，選択した品目コードとロット番号の対で特定できるロット情報を検査装置３へ送信する動作を行う。また，管理装置２の一元管理手段２０は，ロット情報を検査装置３へ送信した後，この検査装置３から検査履歴情報を受信すると，検査履歴情報に含まれる品目コードに関連づけて，検査装置３から受信した検査履歴情報を検査履歴情報ＤＢ２２に記憶する動作を行う。
【００３５】
ここから，図５を参照しながら，表裏照合検査システム１の動作を説明する。圧着はがきの製造に用いる用紙４の表裏照合検査を実施する際，まず，検査装置３の検査手段３０は，次の表裏照合検査で用いるロット情報の送信要求を管理装置２に送信する（Ｓ１）。なお，検査装置３の検査手段３０は，検査装置３から管理装置２へ送信するロット情報の送信要求に自装置の識別番号を含ませる。
【００３６】
管理装置２の一元管理手段２０は，検査装置３からロット情報の送信要求を受けると，バッチ情報を参照して，この検査装置３の識別番号に関連付けられている品目コードとロット番号の対の中から，次に表裏照合検査を行う品目コードとロット番号の対を選択する（Ｓ２）。なお，管理装置２の一元管理手段２０は，選択した品目コードとロット番号の対に，表裏照合検査に使用したことを示すフラグを付与する。
【００３７】
次に，管理装置２の一元管理手段２０は，品目情報ＤＢ２１を参照し，選択した品目コードとロット番号の対を用いて検査装置３へ送信するロット情報を特定し，特定したロット情報を検査装置３へ送信する（Ｓ３）。
【００３８】
検査装置３の検査手段３０は，ロット情報の送信要求を送信した後，ロット情報が管理装置２から送信されると，管理装置２から送信されたロット情報を用いた表裏照合検査を行う（Ｓ４）。
【００３９】
表裏照合検査（Ｓ４）において，連続用紙５の先頭の用紙４から順に，用紙４の表面に印刷された第１の光学式認識コード４０にエンコードされた用紙固有情報と用紙４の裏面に印刷された第２の光学式認識コード４１にエンコードされた用紙固有情報をコードリーダ３１によって読み取る作業が実施され，コードリーダ３１が，第１の光学式認識コード４０にエンコードされた用紙固有情報と第２の光学式認識コード４１にエンコードされた用紙固有情報を読み取ると（Ｓ１０），検査装置３の検査手段３０は，第１の光学式認識コード４０にエンコードされた用紙固有情報と第２の光学式認識コード４１にエンコードされた用紙固有情報をコードリーダ３１から受信する（Ｓ１１）。
【００４０】
第１の光学式認識コード４０にエンコードされた用紙固有情報と第２の光学式認識コード４１にエンコードされた用紙固有情報をコードリーダ３１から受信すると，検査装置３の検査手段３０は，第１の光学式認識コード４０にエンコードされた用紙固有情報と第２の光学式認識コード４１にエンコードされた用紙固有情報を照合する（Ｓ１２）。
【００４１】
次に，検査装置３の検査手段３０は，用紙固有情報に含まれる通数連番の序列を検査する（Ｓ１３）。用紙固有情報に含まれる通数連番の序列を検査する際，通数連番の最初になる用紙４の場合，用紙固有情報に含まれる開始番号とロット情報に含まれる最初の用紙４から読み取った通数連番を照合する。また，最初の用紙４ではない場合，コードリーダ３１から受信した通数連番をメモリに保持しておき，前回の通数連番と今回の通数連番を照合することになる。
【００４２】
次に，検査装置３の検査手段３０は，ロット情報に含まれる通数連番の用紙枚数を利用して，表裏照合検査した用紙４が連続用紙５の最後になる用紙４であるか判定し（Ｓ１４），最後の用紙４でなければ，Ｓ１０に戻る。
【００４３】
また，検査装置３の検査手段３０は，表裏照合検査した用紙４が連続用紙５の最後になる用紙４であれば，最後になる用紙４から読み取った通数連番と次ロットの通数連番の序列を検証することで，今回のロットと次のロットの序列を検査する（Ｓ１５）。
【００４４】
次に，検査装置３の検査手段３０は，用紙固有情報の照合結果，通数連番の序列の検証結果および今回のロットと次のロットの序列の検証結果に加え，ロット情報に含まれる品目コードおよびロット番号を含ませた検査履歴情報を管理装置２へ送信する（Ｓ１６）。
【００４５】
管理装置２の一元管理手段２０は，検査履歴情報を検査装置３から受信すると，検査履歴情報に含まれる品目コードに関連づけてこの検査履歴情報を検査履歴情報ＤＢ２２に記憶して（Ｓ５），図５の手順は終了する。
【符号の説明】
【００４６】
１    表裏照合検査システム
２    管理装置
２０  一元管理手段
２１  品目情報ＤＢ
２２  検査履歴情報ＤＢ
３    検査装置
３０  検査手段
３１  コードリーダ
４    用紙
４０  第１の光学式認識コード
４１  第２の光学式認識コード
５    連続用紙
【図１】
2015134426.tif 000003
【図２】
2015134426.tif 000004
【図３】
2015134426.tif 000005
【図４】
2015134426.tif 000006
【図５】
2015134426.tif 000007